(57)【特許請求の範囲】
【請求項１】
コンクリート等で形成された壁体に貼り付けることによって壁面を形成する壁パネルであって、
該壁パネルは、前記壁面を形成するボードと、前記壁パネルを前記壁体に取り付けたときに該壁体と前記ボードとの間に固化性充填材を充填するため前記ボードに形成された孔と、前記ボードの前記壁体に面する側に設けられて、前記孔から充填する前記固化性充填材が垂れるのを防止する充填材受けとを備え、
前記充填材受けは、前記孔の下方に位置し、かつ前記ボードの表面に直交して水平面内に位置するプレートを有してなることを特徴とする壁パネル。
【請求項２】
コンクリート等で形成された壁体に貼り付けることによって壁面を形成する壁パネルであって、
該壁パネルは、前記壁面を形成するボードと、前記壁パネルを前記壁体に取り付けたときに該壁体と前記ボードとの間に固化性充填材を充填するため前記ボードに形成された孔と、前記ボードの前記壁体に面する側に設けられて、前記孔から充填する前記固化性充填材が垂れるのを防止する充填材受けとを備え、
前記充填材受けは、前記孔の周囲面に固定され、前記固化性充填材を通さずかつ可撓性を有した網材からなることを特徴とする壁パネル。
【請求項３】
請求項１または２記載の壁パネルであって、前記壁パネルには、前記ボードにこれがたわむのを防止する補強部材が一体に取り付けられてなることを特徴とする壁パネル。
【発明の詳細な説明】
【０００１】
【発明の属する技術分野】
本発明は、例えばマンションの内壁等を形成するときに用いて好適な壁の施工方法およびそれに用いる壁パネルに関するものである。
【０００２】
【従来の技術】
周知のように、鉄筋コンクリート造等で構築されるマンションやオフィスビル等の建物は、コンクリート製の壁体の内壁面側に、ボードを取り付けることによって室内の壁面を形成していた。
【０００３】
【発明が解決しようとする課題】
しかしながら、上述したような従来の壁の施工方法には、以下のような問題が存在する。
まず、ボードを壁体に取り付けるには、壁体に沿って木製の下地材を組み、この下地材にボードを固定しているが、下地材を組むのに手間が掛かるという問題がある。しかも、壁体はコンクリート打ちっ放しであったり、またウレタンフォーム等の断熱材を吹き付けてあったりして、その表面が平滑ではないため、下地材を壁体に確実に沿わせて組むことは困難である。
【０００４】
このため、従来より、コンクリート製の壁体面に接着剤をだんご状に盛り、これにボードを押し付けることによってボードを壁体に取り付ける、いわゆるＧＬ工法が多用されている。ところが、このＧＬ工法においても、複数箇所に接着剤を盛らなければならず手間が掛かる。また、ボードを壁の正規の位置にセットする際にも熟練を要し、さらに、このようなＧＬ工法を実施する作業員の確保も困難な場合が生じてきた。
【０００５】
本発明は、以上のような点を考慮してなされたもので、容易かつ確実に取り付けることのできる壁パネルを提供することを課題とする。
【０００６】
【課題を解決するための手段】
請求項１に係る発明は、コンクリート等で形成された壁体に貼り付けることによって壁面を形成する壁パネルであって、該壁パネルは、前記壁面を形成するボードと、前記壁パネルを前記壁体に取り付けたときに該壁体と前記ボードとの間に固化性充填材を充填するため前記ボードに形成された孔と、前記ボードの前記壁体に面する側に設けられて、前記孔から充填する前記固化性充填材が垂れるのを防止する充填材受けとを備え、前記充填材受けは、前記孔の下方に位置し、かつ前記ボードの表面に直交して水平面内に位置するプレートを有してなることを特徴としている。
【０００７】
請求項２に係る発明は、コンクリート等で形成された壁体に貼り付けることによって壁面を形成する壁パネルであって、該壁パネルは、前記壁面を形成するボードと、前記壁パネルを前記壁体に取り付けたときに該壁体と前記ボードとの間に固化性充填材を充填するため前記ボードに形成された孔と、前記ボードの前記壁体に面する側に設けられて、前記孔から充填する前記固化性充填材が垂れるのを防止する充填材受けとを備え、前記充填材受けは、前記孔の周囲面に固定され、前記固化性充填材を通さずかつ可撓性を有した網材からなることを特徴としている。
【０００８】
請求項３に係る発明は、請求項１または２記載の壁パネルであって、前記壁パネルには、前記ボードにこれがたわむのを防止する補強部材が一体に取り付けられてなることを特徴としている。
【００１１】
【発明の実施の形態】
以下、本発明に係る壁の施工方法およびそれに用いる壁パネルの実施の形態の一例を、図１ないし図６を参照して説明する。
【００１２】
図１は、施工中のマンション等の建物を示すものであって、この図において符号１は例えば鉄筋コンクリート造，鉄骨鉄筋コンクリート造等からなる建物、２は建物１の外壁（壁体）、３はスラブ、をそれぞれ示している。
【００１３】
この図１に示すように、建物１の外壁２やスラブ３等を構築した後、内部空間の壁面を形成するには、まず、外壁２の室内側にウレタンフォーム等の断熱材４を壁一面に所定厚さに吹き付ける。
【００１４】
次いで、当該階の床面を形成するスラブ３の上面と、天井側のスラブ３の下面とに、木製の角材等からなるランナー５，５を、外壁２と略平行になるよう取り付ける。
【００１５】
この後、これらのランナー５，５に壁パネル６を取り付けるが、図２および図３に示すように、この壁パネル６は、壁面を形成する石膏ボード，合板，プリント合板等からなるボード７と、ボード７に一体に取り付けられた補強部材８とから形成されている。補強部材８は、木材、軽量型鋼、型鋼材料等からなり、例えば鉛直方向に延在するようボード７に一体に取り付けられている。
【００１６】
図１ないし図３に示したように、ボード７には、後述する充填材を注入するための注入孔（孔）９が、複数の所定位置に予め貫通形成されている。
【００１７】
またボード７には、これを外壁２（図１、図２参照）の内側に取り付けたときに外壁２に面する側に、充填材受け（プレート）１０が一体に設けられている。充填材受け１０は、ボード７に直交する水平面内に位置する平板状で、注入孔９の下方に位置するよう設けられている。
【００１８】
このように、ボード７に補強部材８と注入孔９と充填受け１０とを一体に備えてなる壁パネル６（図３参照）を予め工場等で製作しておき、この壁パネル６をランナー５，５（図１参照）に押し付けて位置決めし、固定する。
【００１９】
次いで、図１および図２に示したように、充填材（固化性充填材）１１を、各注入孔９からボード７と外壁２との間隙に注入する。このときに用いる充填材１１としては、例えばウレタンフォーム等、発泡性と固化性とを兼ね備えた材料や、セメント系接着剤等、固化性を備えた材料を用いるのが好ましい。また、この充填材１１に要求される性質としては、外壁２に吹き付けられている断熱材４への接着性あるいは定着性である。
【００２０】
このように注入孔９から注入された充填材１１は、例えばウレタンフォーム等発泡性を有したものであれば発泡しつつ膨張し、ボード７側から外壁２側へのその体積を増加させていき、注入孔９の周囲においてボード７と外壁２との間隙を塞ぐ。ところで、注入孔９の下方には充填材受け１０が設けられているので、注入した充填材１１が垂れるのを防止し、注入孔９の周囲に留めておくことができる。そして、注入した充填材１１が外壁２側に到達した後は、さらに注入された充填材１１は横方向に拡がるようになっている。
【００２１】
この後、充填材１１が固化すれば、壁パネル６が外壁２に沿って取り付けられたこととなり、複数箇所に充填された充填材１１によりボード７と外壁２との間隙が一定に維持され、これにより、経時変化によってボード７がたわんだり、ボード７を手で押したときにたわんだりすることもない。
【００２２】
上述したように、壁の施工方法およびそれに用いる壁パネル６では、壁パネル６が、ボード７に補強部材８を一体に取り付けておくとともに、注入孔９および充填材受け１０を備えた構成としておき、この壁パネル６を所定の位置にセットした後、注入孔９から充填材１１を充填することによって、壁パネル６と外壁２との間隔を一定に維持させる構成となっている。これにより、壁パネル６を設置するには、壁パネル６を所定の位置に位置決めした後に、充填材１１を充填しさえすれば良く、従来のように下地材を組んだり、多数箇所に接着剤を盛ったりする必要がないため、施工を非常に容易に行うことができる。そして、壁パネル６と外壁２との間に充填した充填材１１により、壁パネル６がたわむのを防止することができ、質感に優れた壁面を形成することができる。
【００２３】
さらに、壁パネル６には補強部材８を一体に取り付けておいたので、壁パネル６自体の剛性が高く、たわみ防止効果をより顕著なものとすることができる。
【００２４】
加えて、壁パネル６には、注入孔９の下方に充填材受け１０が設けられているので、注入孔９から充填した充填材１１が垂れるのを防止し、充填材１１を注入孔９の周囲に留めることができる。これにより充填材１１の使用量を最小限に抑え、施工を経済的に行うことが可能となる。
【００２５】
なお、上記実施の形態において、充填材受け１０を単なる平板状としたが、ランナー５を同材の角材を用いても良く、さらに、これを以下のような形態とすることもできる。
【００２６】
例えば、図４に示すように、壁パネル６の充填材受け１５を、注入孔９の近傍に、水平プレート（プレート）１５ａと、その両側に一体に形成された垂直プレート１５ｂ，１５ｂとからなる略Ｕ字状としても良い。この場合、垂直プレート１５ｂ，１５ｂは、注入孔９の両側に位置するよう設けても良い。
【００２７】
また、図５に示すように、壁パネル６の充填材受けとして、注入孔９の周囲面に、袋状の網体（網体）１７を取り付けるようにしても良い。網体１７は、充填材１１を通さないようなメッシュで、かつ内部に充填材１１を注入することにより変形するよう可撓性を有した材料からなるものが望ましい。
【００２８】
さらに、図６に示すように、壁パネル６の充填材受けとして、注入孔９の周囲面に、網体１７（図５参照）と同様の材料からなる網体（網体）１８を張設しても良い。この場合、充填材１１の充填により網体１８自体が伸縮しても良いし、また予め充填材１１の充填分を見込んで弛ませて張設しても良い。
もちろん、充填材受けとしては、上記以外の形態のものを適宜採用することが可能である。
【００２９】
また、上記実施の形態において、壁パネル６を取り付ける壁についても外壁２に限らず、他のいかなる箇所の壁であっても良い。もちろん、建物１はマンションに限らず、オフィスビル、工場、各種施設等であっても良い。
さらに、外壁２に断熱材４を吹き付ける構成としたが、住戸どうしを仕切る戸境壁等であれば、断熱材４は不要である。加えて、外壁２については、例えばＡＬＣ板等、他の材料であっても良い。
さらに加えて、孔９の数や位置については、壁パネル６の剛性等に応じて適宜設定すればよいのであって、上記実施の形態に何ら限定されるものではない。
【００３０】
さらに、充填材１１については、その材質を何ら問うものではなく、壁パネル６と外壁２との間隙を一定に維持し、かつ断熱材４や、断熱材４がない場合には外壁２に良好に接着あるいは定着できるのであれば、その材料の種類は何ら問うものではない。
加えて、充填材１１は、言うまでもないが、壁パネル６と外壁２との間隙の全面に充填する必要はない。
【００３１】
これ以外にも、本発明の主旨を逸脱しない範囲内であれば、いかなる構成を採用しても良く、また上記したような構成を適宜選択的に組み合わせたものとしても良いのは言うまでもない。
【００３３】
【発明の効果】
以上説明したように、請求項１に係る壁パネルによれば、壁パネルが、ボードと、固化性充填材を充填するための孔と、固化性充填材が垂れるのを防止する充填材受けとを備えた構成となっている。また、請求項１に係る壁パネルによれば、充填材受けが、孔の下方に位置し、かつ水平面内に位置するプレートを有してなる構成となっている。さらに、請求項２に係る壁パネルによれば、充填材受けが、孔の周囲面に固定された網材からなる構成となっている。
これにより、孔から充填した固化性充填材が垂れるのを防止し、固化性充填材を孔の周囲に留めることができるので、固化性充填材の使用量を最小限に抑え、施工を経済的に行うことが可能となる。
【００３４】
請求項３に係る壁パネルによれば、壁パネルのボードに、これがたわむのを防止する補強部材が一体に取り付けられた構成となっている。これにより、壁パネルの剛性を高めることができるので、壁パネル自体のたわみを抑え、固化性充填材の充填箇所を最小限に抑えることができる。
【図面の簡単な説明】
【図１】本発明に係る壁の施工方法およびそれに用いる壁パネルを適用する壁の一例を示す側断面図である。
【図２】前記壁の平断面図である。
【図３】前記壁パネルの一例を示す斜視図である。
【図４】前記壁パネルの他の一例を示す斜視図である。
【図５】前記壁パネルのさらに他の一例を示す側断面図である。
【図６】前記壁パネルのさらに他の一例を示す側断面図である。
【符号の説明】
２  外壁（壁体）
６  壁パネル
７  ボード
８  補強部材
９  注入孔（孔）
１０  充填材受け（プレート）
１１  充填材（固化性充填材）
１５  充填材受け
１５ａ  水平プレート（プレート）
１７，１８  網体（網材）
【図１】
0003594067.tif 000002
【図２】
0003594067.tif 000003
【図３】
0003594067.tif 000004
【図４】
0003594067.tif 000005
【図５】
0003594067.tif 000006
【図６】
0003594067.tif 000007